(57)【要約】【課題】  メガネを掛けた際に肌に接してフロント部を支える鼻当てパットであって、エヤーを充填した構造であるがその製作が簡単で、コストの安い鼻当てパットの提供。【解決手段】  鼻当てパット１はベース板６の表面に柔らかい樹脂から成るパッド７を接着して取付け、パッド内部にはエヤー１０を充填している。【選択図】    図２
2008145924.tif 000002
【特許請求の範囲】
【請求項１】
メガネを掛けた際に肌に接してフロント部を支える鼻当てパットにおいて、該鼻当てパットはベース板の表面に柔らかい樹脂から成るパッドを接着して取付け、パッド内部にはエヤーを充填したことを特徴とする鼻当てパットにおける肌との接触部構造。
【請求項２】
メガネを掛けた際に金属製のツル先端部に挿着されて耳に係止するモダンにおいて、該モダンはその内側に柔らかい樹脂から成るパッドを接着して取付け、パッド内部にはエヤーを充填したことを特徴とするモダンにおける肌との接触部構造。
【請求項３】
メガネを掛けた際に耳に係止する樹脂製のツル先端部において、該ツル先端部はその内側に柔らかい樹脂から成るパッドを接着して取付け、パッド内部にはエヤーを充填したことを特徴とするツル先端部における肌との接触部構造。
【請求項４】
パッドの表面にはゴム系の樹脂シートを貼着した請求項１、請求項２、又は請求項３記載の肌との接触部構造。
【請求項５】
パッドの表面にはゴム系の樹脂をコーティングした請求項１、請求項２、又は請求項３記載の肌との接触部構造。
【発明の詳細な説明】
【技術分野】
【０００１】
本発明はメガネを掛ける際に肌面と接触する部位の構造であり、すなわち、鼻当てパット及びモダン又はツル先端部の構造に関するものである。
【背景技術】
【０００２】
図６は一般的な縁なしメガネフレームを示す具体例である。該縁なしメガネフレームではレンズが嵌るリムを持たず、両レンズ（イ）、（イ）が連結部材（ロ）の両側へ延びた止着片（ハ）、（ハ）にネジ止めされ、又レンズ（イ）、（イ）の外側にはヨロイ（ニ）、（ニ）の止着片（ハ）、（ハ）がネジ止めされている。そして、ヨロイ（ニ）、（ニ）には蝶番などの継手を介してツル（ヘ）、（ヘ）が折畳み出来るように取付けられている。
【０００３】
上記連結部材（ロ）からは脚が延びて、その先端には鼻当てパット（ホ）、（ホ）が取付けられ、ツル（ヘ）、（ヘ）の先端部には概略「へ」形のモダン（ト）、（ト）が挿着されている。そこで、該メガネを顔に掛ける場合、フロント部は鼻当てパット（ホ）、（ホ）を鼻に当てて支持し、モダン（ト）、（ト）は耳に係止する。鼻当てパット（ホ）、（ホ）は鼻の両脇に当接するが、鼻の形状に合わせてその向きが僅かに変わるようにアガキが与えられている。
【０００４】
しかし、硬質樹脂から成る鼻当てパットはその向きが多少変わって鼻の両脇に当接してもその全面が均一に接することはなく、あくまでも一部分が接触するに過ぎない。仮に全面が接触している場合であっても、接触面圧は均一ではなく、局部的に高い面圧を呈している。この点は、耳に係止する概略「へ」形モダンの場合にも同じような問題があり、耳の基部に沿って均一に接することは出来ない。
【０００５】
勿論、柔らかいシリコン樹脂から成る鼻当てパットが一部で使われているが、このシリコン製鼻当てパットは全体が変形してその一部が肌に接するに過ぎない。すなわち、柔らかくて肌当たりが良好なだけで、鼻両脇との接触面積が大きくなって、面圧が低下することはない。その為に、硬質樹脂からなる鼻当てパット及び軟質樹脂から成る鼻当てパットは、メガネを長時間にわたって掛けていると、痛みを感じることも多い。
【０００６】
そこで、このような問題を解決する為に鼻当てパットにエヤーを充填した構造のものが知られている。その従来例として、例えば登録実用新案第３００４３１６号に係る「エアクッション部を具える眼鏡用部材」がある。この眼鏡用部材は鼻当てパットとツル先端部に挿着するモダンを対象としているが、肌に接する腹側部分の全体を、空気を包蔵した柔らかい弾力性に富むエアクッション部としている。
【０００７】
又、実開平５−９１８７号に係る「メガネ用鼻当て」は、エヤーの代わりに液体を充填した鼻当てパットである。すなわち、金具の付いた板に液体を膜で覆ってあり、その膜の中に液体が入っている。
登録実用新案第３１１７７７１号に係る「鼻パット」は、空気や水など各種緩衝材を充填した鼻当てパットであり、眼鏡のフレームに接続した鼻当て部材と緩衝材を充填し、該鼻当て部材の側面に設けて利用者の鼻背部に密着するパット部とを具えている。
【特許文献１】登録実用新案第３００４３１６号に係る「エアクッション部を具える眼鏡用部材」
【特許文献２】実開平５−９１８７号に係る「メガネ用鼻当て」
【特許文献３】登録実用新案第３１１７７７１号に係る「鼻パット」
【発明の開示】
【発明が解決しようとする課題】
【０００８】
エヤーや液体を充填した鼻当てパットは鼻の形状に順応して変形することが出来る為に、肌との実質接触面は大きくなり、面圧は低下する。勿論、肌当りは良好で長時間にわたってメガネを掛けていても痛みを感じにくい。しかし、エヤーを充填した鼻当てパットを製作することは容易でなく、コストは必然的に高くなってしまう。そして、従来のエヤー充填鼻当てパットは金属製メガネフレームに限定され、樹脂製メガネフレームに適用することは出来ない。
【０００９】
本発明が解決しようとする課題はこれら問題点であり、低コストで比較的簡単に製作出来、多種小ロット生産に対応可能で、又樹脂製のメガネフレームにも適用可能な鼻当てパットを提供する。一方、本発明は鼻当てパットに限らず耳に係止するモダンも対象とし、肌に接する側にエヤーを充填したパッドを備え、低コストで製作が比較的簡単なモダンを提供する。
【課題を解決するための手段】
【００１０】
本発明のメガネに於ける肌との接触部構造とは、鼻当てパットの構造とモダンの構造を対象としている。そこで、肌に接する側はエヤーを充填したパッド構造としているが、本発明では概略お椀形パッドをベース板に接着して構成している。該ベース板はフロント部から延びる脚先端に設けられ、又は硬質樹脂製の既存の鼻当てパットがベース板に成ることも出来る。特に、樹脂製メガネフレームの場合には、既存の鼻当てパット部表面にお椀形パットが接着される。
【００１１】
一方、モダンの場合には、肌と接触する内側に細長いパッドが接着される。パッド内には同じくエヤーが充填され、パッド表面を押圧すれば変形することが出来るように、該パッドの材質は弾力性のある樹脂製と成っている。そして、該パッド表面にはゴム系樹脂シートを滑り止め用として貼着することもある。又はゴム系樹脂をコーティングすることもある。
【発明の効果】
【００１２】
本発明に係る肌との接触部構造は、エヤーを充填した鼻当てパット及びモダンであり、鼻の形状に沿って変形することが出来、又耳の基部に沿って変形することが出来る。この点は従来のエヤー充填鼻当てパット及びモダンと同じであるが、本発明は概略お椀形パット又は細長いパッドをベース板に接着した構造としている。その為に、製作コストは安く、該パッドを既存のメガネにも取付けることが出来る。特にパッドを成形する金型は最も単純なものでよい。そして、金属製メガネフレームに限らず、樹脂製メガネフレームにも適用可能である。
【実施例】
【００１３】
図１は本発明が対象とする鼻当てパット１を示す外観図である。鼻当てパット１は周知の通り、メガネのフロント部２を鼻の両脇に当てて支持することが出来るように、レンズが嵌るリム３から延びる脚４の先端に取付けられている。同図に示すフロント部２は金属製であり、両リム３、３が連結部材５にて連結され、脚４はリム３の中央側にロウ付けされている。
【００１４】
ところで、上記鼻当てパット１はベース板６とパッド７から成り、ベース板６は脚先端の箱８に取付けられているが、多少のアガキ(ガタ付き)を具えるために、ベース板６の背面に設けた止着片９が箱８に嵌った状態でネジ止めされている。そして、ベース板６には概略お椀形のパッド７が接着剤を介して固着している。図２は鼻当てパット１を示す断面図であり、ベース板６の表面に接着されたパッド７にはエヤー１０が充填され、該パッド７の内面には押圧力にて内圧Ｐが均等に作用する。
【００１５】
ここで、上記パッド７はシリコンやエラストマー系の柔らかくて弾力性のある樹脂からなり、このパッド７をベース板６に載置して縁が接着、固定される。すなわち、非常に簡単にエヤー充填式鼻当てパットを製作することが出来る。エヤー１０が充填されたパッド７は外力の作用で圧縮変形するが、内面には内圧Ｐが均一に作用する。従って、メガネを掛けた際に鼻の脇に当接する場合、鼻の形状に応じてパッド７は変形するが、しかも肌との接触面には均一な圧力が発生する。
【００１６】
本発明ではベース板６の表面にお椀形に成形したパッド７を接着した構造であり、従来のような一体化した鼻当てパットにエヤーを充填した構造ではなく、その製作は簡単であり、コストは安くなる。そして、お椀形パッド７を成形する金型は最も単純な構造となる。
【００１７】
図３は樹脂製メガネフレームの鼻当てパット１０を示す外観図である。樹脂製メガネフレームの場合には、フロント部１１は両リム１２，１２が連結部１３にて繋がれた一体成形品であり、このフロント部１１の中央部に設けたベース板１４にパッド１５が接着されている。パッド１５は前記実施例の場合と同じく、シリコンやエラストマー系の柔らかくて弾力性のある樹脂からなり、ベース板１４に載置して縁が接着、固定される。そして、パッド１５の表面を押圧することで圧縮変形して、内面には内圧Ｐが作用する。
【００１８】
ところで、パット７が接着するベース板６、及びパッド１５が接着するベース板１４の表面は平坦面であることが好ましいが、これらベース板６、１４が既存の鼻当てパットであっても構わない。すなわち、既存の鼻当てパットの表面にパット７又はパッド１５を接着することが出来る。そして、図４はパッド７の表面にゴム系の樹脂シート１６を貼着した場合であり、滑り止め効果を向上させた構造である。
【００１９】
一方、本発明が対象とする肌との接触部位は鼻当てパットの他にモダンもあり、該モダンはメガネを掛ける際に耳に係止して、メガネの位置ズレを防止している。図５(ａ)はモダン１７を示している正面図であり、(ｂ)は(ａ)のＡ−Ａ断面拡大図を示している。モダン１７は概略「へ」形を成し、金属製のツル１８の先端部に挿着され、その中心軸部にはツル１８の一部となる芯金１９が圧入されている。
【００２０】
そして、該モダン１７の内側には同図の(ｂ)に示しているようにパッド２０が接着されている。該パット２０は細長い形状で、モダン１７に沿って設けられ、内部にはエヤー１０が充填される。同図ではパッド２０が接着されるモダン１７の内側を平坦面としているが、外側と同じく滑らかな凸面であっても構わない。
【００２１】
従って、該モダン１７の内側に接着したパッド２０はメガネを掛けることで、肌に接すると共に部分的に変形する。しかし、肌に作用する面圧は常に均一化され、従来のような局部的に接触圧は生じない。しかも、シリコン系の柔ら樹脂から成るパッド２０は滑り止め効果も具わっている。また、モダン１７及び鼻当てパットのパッドは古くなったならば接着剤を溶かして除去し、新たなパッドと交換することも出来る。
【図面の簡単な説明】
【００２２】
【図１】金属製メガネフレームに取付けられる本発明の鼻当てパット。
【図２】本発明の鼻当てパットの断面拡大図。
【図３】樹脂製メガネフレームに取付けられる本発明の鼻当てパット
【図４】パッド表面にゴム系樹脂シートを貼着した場合。
【図５】本発明のモダン。
【図６】従来の鼻当てパットを備えた縁なしメガネの外観図。
【符号の説明】
【００２３】
１  鼻当てパット
２  フロント部
３  リム
４  脚
５  連結部材
６  ベース板
７  パッド
８  箱
９  止着片
10  エヤー
11  フロント部
12  リム
13  連結部
14  ベース板
15  パッド
16  ゴム系樹脂シート
17  モダン
18  ツル
19  芯金
20  パッド
【図１】
2008145924.tif 000003
【図２】
2008145924.tif 000004
【図３】
2008145924.tif 000005
【図４】
2008145924.tif 000006
【図５】
2008145924.tif 000007
【図６】
2008145924.tif 000008